(57)【特許請求の範囲】
【請求項１】
被取り付け部に広げた状態で取り付けられる膜状のテンション部材および前記膜状のテンション部材に重ねてまたは連ねて配置された保形部材を有する座板部材と、この座板部材上に設けられたクッション材とを備え、前記保形部材は着座者の大腿部を支持する腿当て部と当該腿当て部の後端から後方に延出する臀当て部とを有し、前記腿当て部は前記座板部材の前部を構成するものであり、前記臀当て部は少なくとも前記着座者の左右の座骨結節に対向する位置を結ぶ線よりも後方に延びていることを特徴とする椅子類の座。
【請求項２】
前記座板部材の前部が下方に向かって湾曲していることを特徴とする請求項１記載の椅子類の座。
【請求項３】
前記保形部材の上面は下方に窪んだ凹面形状を成していることを特徴とする請求項１又は２記載の椅子類の座。
【請求項４】
前記保形部材にスリットが設けられていることを特徴とする請求項１から３のいずれか１つに記載の椅子類の座。
【発明の詳細な説明】
【技術分野】
【０００１】
本発明は、椅子類の座に関する。
【背景技術】
【０００２】
膜状部材を使用した椅子の座として、例えば特開２００１−２９９５０１号公報に開示されたものがある。この座１０１を図１４に示す。座１０１はフレーム１０３に膜状部材（支持シート）１０５を張った構造となっている。膜状部材１０５は紐状繊維を縦横に織り上げたもので、作用する荷重に応じて伸縮する。
【０００３】
座１０１を組み付けた椅子に座ると、座１０１を構成する膜状部材１０５が体重の掛かり具合に応じて伸縮しながら着座者を支える。即ち、膜状部材１０５がクッション性を有する座として機能する。
【０００４】
【特許文献１】特開２００１−２９９５０１号
【発明の開示】
【発明が解決しようとする課題】
【０００５】
しかしながら、上述の膜状部材１０５を利用した座１０１では、フレーム１０３に膜状部材１０５を張っているだけであり、膜状部材１０５の伸びは着座者が当たる部分の中心が最も大きくなることから、着座者の体に合わせて膜状部材１０５を撓ませることが困難であり、座り心地が悪かった。
【０００６】
本発明は、座り心地に優れた椅子類の座を提供することを目的とする。
【課題を解決するための手段】
【０００７】
かかる目的を達成するために請求項１記載の椅子類の座は、被取り付け部に広げた状態で取り付けられる膜状のテンション部材および膜状のテンション部材に重ねてまたは連ねて配置された保形部材を有する座板部材と、この座板部材上に設けられたクッション材とを備え、保形部材は着座者の大腿部を支持する腿当て部と当該腿当て部の後端から後方に延出する臀当て部とを有し、腿当て部は座板部材の前部を構成するものであり、臀当て部は少なくとも着座者の左右の座骨結節に対向する位置を結ぶ線よりも後方に延びているものである。
【０００８】
したがって、着座者の臀部は臀当て部によって支持され、大腿部は腿当て部によって支持される。保形部材の設けられた部位では、着座者の体重が加わった際に膜状のテンション部材が過度に撓むのを抑制でき、これにより膜状のテンション部材の形状を制御できる一方、保形部材のない部位で膜状のテンション部材が伸縮することで保形部材が変位し追従するので、クッションとして機能する。また、保形部材の腿当て部は座板部材の前部を構成しており、着座者の大腿部が、剛性が比較的大きなフレーム等の被取り付け部と比較的小さな膜状のテンション部材との境界部分に当たることがない。
【０００９】
また、請求項２記載の椅子類の座は、座板部材の前部を下方に向かって湾曲させている。したがって、座板部材の前部が着座者の大腿部に強く当たり難くなり、大腿部の圧迫を抑制することができる。
【００１０】
また、請求項３記載の椅子類の座は、保形部材の上面が下方に窪んだ凹面形状を成しているものである。したがって、保形部材の上面が着座者の臀部に対応する形状となる。
【００１１】
さらに、請求項４記載の椅子類の座は、保形部材にスリットが設けられているものである。したがって、保形部材の剛性を部分的に下げることができて柔軟性を付与することができる。
【発明の効果】
【００１２】
請求項１記載の椅子類の座では、被取り付け部に広げた状態で取り付けられる膜状のテンション部材および膜状のテンション部材に重ねてまたは連ねて配置された保形部材を有する座板部材と、この座板部材上に設けられたクッション材とを備え、保形部材は着座者の大腿部を支持する腿当て部と当該腿当て部の後端から後方に延出する臀当て部とを有し、腿当て部は座板部材の前部を構成するものであり、臀当て部は少なくとも着座者の左右の座骨結節に対向する位置を結ぶ線よりも後方に延びているので、着座時における膜状のテンション部材の形状を適切な形状に保持することが可能となり、座り心地を向上させることができる。特に、保形部材を着座者の体に合わせた形状に成形しておくことで、着座者を自然な姿勢で支えることができ、座り心地をより一層向上させることができる。また、着座者の臀部を臀当て部によって支持することができるので、着座者の安定性を向上させることができると共に、臀当て部の周囲の膜状部分の伸縮によって座に作用する着座者の体圧を良好に分散させることができる。
【００１３】
ここで、仮に保形部材が無い場合を考えると、膜状のテンション部材特有のフレーム感（着座者の大腿部が、膜状のテンション部材を広げて取り付ける枠状部材や椅子のフレーム等と膜状のテンション部材の境界部分に当たり、枠状部材やフレームの硬さを感じる）を感じることになる。保形部材の腿当て部によって着座者の大腿部を支えることで、着座者がフレーム感を感じ難くなり、座り心地を向上させることができる。また、保形部材が無い場合には、座面に作用する着座者の体圧の分散の仕方を変化させることは難しいが、本発明は保形部材を備えているので、保形部材の形状や大きさを変化させることで着座者の体圧の分散の仕方を様々に設計することができ、理想的な体圧分散に設計することが可能になる。
【００１４】
また、座板部材上にクッション材を設けているので、膜状のテンション部材のメリットである着座者の体型にフィットする機能を残しつつ、膜状のテンション部材の上にクッション材を重ねることで柔らかい感触の座り心地を向上させて浮遊感を出すことができると共に、着座者の座骨の部位まで保形部材の臀当て部が設けられていることで、安定感としっかりした感触の座り心地にすることができる。
【００１５】
また、膜状のテンション部材があることでかなり柔らかい座面の感触となる。仮に、膜状のテンション部材を使わずに保形部材だけで、膜状のテンション部材を使用した場合と同等の柔らかさにしようとすると、クッション材の厚さを厚くする必要があり、この場合には見栄えが悪化する。膜状のテンション部材の上にクッション材を載せることで、座り心地を柔らかくすることができると共に、クッション材の厚さを薄くすることができ、見栄えの悪化を防止することができる。
【００１６】
また、請求項２記載の椅子類の座では、座板部材の前部が下方に向かって湾曲しているので、座板部材の前部が着座者の大腿部を圧迫するのを抑制し、大腿部に与える不快な感触を抑えて座り心地を向上させることができる。
【００１７】
また、請求項３記載の椅子類の座では、保形部材の上面が下方に窪んだ凹面形状を成しているので、保形部材の上面を着座者の臀部に対応する形状にすることができ、座り心地を向上させることができる。
【００１８】
さらに、請求項４記載の椅子類の座は、保形部材にスリットが設けられているものである。したがって、保形部材の剛性を部分的に下げることができて適度な柔軟性を付与することができる。このため、座り心地を向上させることができる。
【発明を実施するための最良の形態】
【００１９】
以下、本発明の構成を図面に示す最良の形態に基づいて詳細に説明する。
【００２０】
図１〜図３に、本発明の椅子類の座の第１の実施形態を示す。この実施形態の座は椅子の座であるが、この椅子の座は、被取り付け部である枠状部材５に広げた状態で取り付けられる膜状のテンション部材３、および膜状テンション部材３に重ねてまたは連ねて配置された保形部材４を有する座板部材１と、この座板部材１上に設けられたクッション材１３とを備え、保形部材（以下、支持板という）４は着座者の大腿部を支持する腿当て部４ａと当該腿当て部４ａの後端から後方に延出する臀当て部４ｂとを有し、腿当て部４ａは座板部材１の前部を構成するものであり、臀当て部４ｂは少なくとも着座者の左右の座骨結節に対向する位置Ｐ，Ｐ（図１３）を結ぶ線Ｌよりも後方に延びている。
【００２１】
なお、図１３は椅子の座に座った場合の体圧分布を示している。図１３において、下の部分が臀部に対応する部分であり、上の部分が大腿部に対応する部分である。色の濃い部分ほど大きな圧力が作用することを意味している。図１３からも明らかなように、左右の座骨結節に対応する位置Ｐに最も大きな圧力が作用する。
【００２２】
枠状部材５は、例えば膜状テンション部材３の周囲にインサート成形されている。この枠状部材５は椅子のフレーム２に取り付けられるものである。即ち、枠状部材５を椅子のフレーム２に取り付けることで、椅子の座全体を椅子に組み付けることができる。枠状部材５はフレーム２に溶接された受け金具６に例えばねじ止めされている。
【００２３】
膜状テンション部材（以下、単にテンション部材という）３は、例えばネット、メッシュ、フィルム、布地、不織布、織物、編み物等である。テンション部材３は着座者の体重を支えるのに十分な強度と、作用する荷重に応じて伸縮する弾力性を有している。テンション部材３は、クッションとしての使用に適した弾力性を発揮できるように所定の張力で張られている。本実施形態では、テンション部材３を熱収縮性を有する材料製、例えばオレフィン系樹脂製あるいはポリエステル製とし、無張力の状態で型の間に挟み込んで枠状部材５をインサート成形した後、加熱することで収縮させてテンション部材３に所定の張力を与えるようにしている。
【００２４】
支持板４と枠状部材５は樹脂製であり、例えば成形品である。なお、使用する樹脂の種類は特に限定されるものではない。支持板４はテンション部材３の表面に載置され、枠状部材５はテンション部材３にインサート成形されている。支持板４は、テンション部材３の着座者を直接支持する位置に配置されている。本実施形態では、着座者はテンション部材３の中央に座るのが一般的であると考えられるので、テンション部材３の中央に支持板４の臀当て部４ｂを配置させている。
【００２５】
なお、上述の説明では、支持板４を別に成形してテンション部材３に重ね、腿当て部４ａを枠状部材５に連結するようにしているが、支持板４をインサート成形することでテンション部材３と枠状部材５と一体成形しても良い。
【００２６】
座板部材１の支持板４で構成された前部は下方に向けて湾曲している。したがって、座板部材１の前部が着座者の大腿部に強く当たり難くなり、大腿部の圧迫を抑制することができる。このため、大腿部に与える不快な感触を抑えて座り心地を向上させることができる。
【００２７】
このようにして製造した椅子の座の座板部材１上に、さらに例えばウレタンフォーム製のクッション材１３を載せる。そして、表面を図示しない表皮部材で覆うことで椅子の座が完成する。座を取り付けた椅子に腰掛けると、着座者の体重を主に支持板４が支える。このとき、テンション部材３が伸縮することで支持板４が変位すると共に、支持板４自体も変形するので、クッションとして機能する。ここで、支持板４を設けない場合と比較すると、支持板４を設けない場合にはテンション部材３で着座者の体重を受けることになるので、テンション部材３の着座者が当たる部分の中央の伸びが最も大きくなる。このため、着座者の体の形状に合わせてテンション部材３を撓ませることができず、しかも着座者の体が当たる部分についてクッションとなる張力が不均一になり、座り心地を悪化させてしまう。これに対し本発明では、着座者の体重をテンション部材３で受けるのではなく、主に支持板４で受けるので、板状の部材で着座者の体を支えることができると共に、クッションとなる張力が部分的に不均一になるのを防ぐことができ、座り心地を向上させることができる。
【００２８】
また、支持板４の腿当て部４ａは座板部材１の前座を構成しており、着座者の大腿部が、剛性が比較的大きな枠状部材５と比較的小さなテンション部材３との境界部分に当たることがない。即ち、着座者の大腿部を板状部材である支持板４の腿当て部４ａで支持することができる。このため、着座者が枠状部材５の硬さを感じ取るフレーム感を感じ難くなり、座り心地を向上させることができる。
【００２９】
また、着座者の臀部を臀当て部４ｂによって支持することができるので、着座者の安定性を向上させることができると共に、臀当て部４ｂの両側部及び後部のテンション部材３の伸縮によって座に作用する着座者の体圧を良好に分散させることができる。つまり、着座者の安定性と体圧分散を高レベルで両立させることができる。
【００３０】
また、支持板４の形状や大きさを変化させることでテンション部材３の伸縮の仕方が変化するので、着座者の体圧の分散の仕方を様々に設計することができ、理想的な体圧分散に設計することが可能になる。
【００３１】
また、座板部材１の上にクッション材１３を載せているので、テンション部材３のメリットである着座者の体型にフィットする機能を残しつつ、テンション部材３の上にクッション材１３を重ねることで柔らかい感触の座り心地を向上させて浮遊感を出すことができると共に、着座者の座骨の部位まで支持板４の臀当て部４ｂを設けることで、安定感としっかりした座り心地にすることができる。
【００３２】
また、テンション部材３があることでかなり柔らかい座面の感触となる。仮に、テンション部材３を使わずに支持板４だけで、テンション部材３を使用した場合と同等の柔らかさにしようとすると、クッション材１３の厚さを厚くする必要があり、この場合には見栄えが悪化する。テンション部材３の上にクッション材１３を載せることで、座り心地を柔らかくすることができると共に、クッション材１３の厚さを薄くすることができ、見栄えの悪化を防止することができる。
【００３３】
本発明は、一般用椅子、事務用椅子、作業用椅子、看護用椅子等の椅子全般の座等への適用が可能である他、自転車、二輪自動車、四輪自動車、バス、電車等の車両の座等への適用も可能である。
【００３４】
なお、上述の形態は本発明の好適な形態の一例ではあるがこれに限定されるものではなく本発明の要旨を逸脱しない範囲において種々変形実施可能である。
【００３５】
例えば、上述の説明では、支持板４をテンション部材３の表面に載置しているが、裏面にインサート成形しても良い。同様に、上述の説明では、枠状部材５をテンション部材３の裏面にインサート成形しているが、表面にインサート成形しても良い。なお、図４に、支持板４をテンション部材３の裏面にインサート成形した例を示す。
【００３６】
また、支持板４をテンション部材３の表面と裏面の両方にインサート成形しても良い。同様に、枠状部材５をテンション部材３の表面と裏面の両方にインサート成形しても良い。なお、図５に、支持板４をテンション部材３の表面と裏面の両方にインサート成形した例を示す。
【００３７】
また、図６及び図７に示すように、支持板４にスリット１４を設けても良い。例えば、図６に示す座板部材１では、支持板４の臀当て部４ｂの周縁に複数のスリット１４を設けている。また、図７に示す座板部材１では、支持板４の腿当て部４ａから臀当て部４ｂにわたるスリット１４を複数設けている。スリット１４を設けることで支持板４の剛性を部分的に下げることができて柔軟性を付与することができる。このため、座り心地を向上させることができる。なお、図６及び図７では、枠状部材５の記載を省略している。また、テンション部材３について、その網目の記載も省略している。
【００３８】
また、上述の説明では、支持板４の臀当て部４ｂを比較的幅の広い形状とし、臀当て部４ｂによって着座者の左右の座骨結節を支持していたが、例えば図８〜図１０に示すように、支持板４の臀当て部４ｂを比較的幅の狭い形状とし、着座者の左右の座骨結節に対向する位置Ｐ，Ｐの間を通って後方に延び出るようにしても良い。この場合には、着座者の臀部を支持板４の臀当て部４ｂによって支持しながら、着座者の座骨結節の部分をテンション部材３によって支持することができる。このため、着座者の姿勢を安定的に支持しながら、体圧分布が最も大きくなる座骨結節の位置を柔らかく支持することができるので、安定性の確保とクッション材としての柔らかさを高レベルで両立させることができる。なお、図９に示す座板部材１のように周縁を所謂ジグザグ状に形成してテンション部材３との境界部分が明確になるのを防止しても良い。また、図１０に示す座板部材１のようにスリット１４を設けても良い。なお、図６〜図１０では、枠状部材５の記載を省略している。また、テンション部材３について、その網目の記載も省略している。
【００３９】
また、支持板４は平板形状に限るものではなく、着座者の体の形状に合わせて屈曲ないし湾曲させても良い。
【００４０】
また、例えば図１１に示すように、支持板４の上面を下方に窪んだ凹面形状としても良い。この場合には、座り心地をより一層向上させることができる。
【００４１】
また、例えば図１２に示すように、腿当て部４ａの着座者の大腿部が当たる部分に孔１５を設けても良い。
【００４２】
また、支持板４の厚みを部分的に異ならせて部分的に柔軟性の程度が異なるようにしても良い。このようにすることで、着座者の体の形状等に応じて支持板４を変形させることができ、着座者をより自然な姿勢のまま支えることができる。このため、座り心地をより一層向上させることができる。
【図面の簡単な説明】
【００４３】
【図１】本発明の椅子類の座の第１の実施形態を示し、その座板部材を示す平面図である。
【図２】図１の椅子類の座の分解斜視図である。
【図３】図１の椅子類の座を椅子のフレームに取り付けた様子を示し、図１のIII−III線に対応する位置の断面図である。
【図４】本発明の椅子類の座の第２の実施形態を示す断面図である。
【図５】本発明の椅子類の座の第３の実施形態を示す断面図である。
【図６】本発明の椅子類の座の第４の実施形態を示し、その座板部材の平面図である。
【図７】本発明の椅子類の座の第５の実施形態を示し、その座板部材の平面図である。
【図８】本発明の椅子類の座の第６の実施形態を示し、その座板部材の平面図である。
【図９】本発明の椅子類の座の第７の実施形態を示し、その座板部材の平面図である。
【図１０】本発明の椅子類の座の第８の実施形態を示し、その座板部材の平面図である。
【図１１】本発明の椅子類の座の第９の実施形態を示し、その座板部材の断面図である。
【図１２】本発明の椅子類の座の第１０の実施形態を示し、その座板部材の平面図である。
【図１３】着座者の体圧分布を示す図である。
【図１４】従来の椅子のクッション構造物の斜視図である。
【符号の説明】
【００４４】
１  座板部材
３  膜状のテンション部材
４  支持板（保形部材）
４ａ  腿当て部
４ｂ  臀当て部
５  枠状部材（被取り付け部）
１４  スリット
【図１】
0004625399.tif 000002
【図２】
0004625399.tif 000003
【図３】
0004625399.tif 000004
【図４】
0004625399.tif 000005
【図５】
0004625399.tif 000006
【図６】
0004625399.tif 000007
【図７】
0004625399.tif 000008
【図８】
0004625399.tif 000009
【図９】
0004625399.tif 000010
【図１０】
0004625399.tif 000011
【図１１】
0004625399.tif 000012
【図１２】
0004625399.tif 000013
【図１４】
0004625399.tif 000014
【図１３】
0004625399.tif 000015